(57)【要約】【課題】トメ、ハネ、ハライが明瞭であり、長期間キャップオフ後も書き出しが良好となる筆記具用水性インク組成物を提供する。【解決手段】Ａ．ポリビニルアルコールを０．１〜１０質量％、Ｂ．ジグリセリルボレートを０．１〜５質量％を少なくとも含み、質量比Ａ／Ｂが２／１〜１／５であることを特徴とする筆記具用水性インク組成物。【選択図】なし【特許請求の範囲】
【請求項１】
Ａ．ポリビニルアルコールを０．１〜１０質量％、Ｂ．ジグリセリルボレートを０．１〜５質量％を少なくとも含み、質量比Ａ／Ｂが２／１〜１／５であることを特徴とする筆記具用水性インク組成物。
【請求項２】
請求項１に記載の筆記具用水性インク組成物を搭載したことを特徴とする筆記具。
【発明の詳細な説明】
【技術分野】
【０００１】
本発明は、トメ、ハネ、ハライが明瞭であり、長期間キャップオフ後も書き出しが良好となる筆記具用水性インク組成物に関する。
【背景技術】
【０００２】
従来、トメ、ハネ、ハライが明瞭であり、美しい文字がかける筆記具用水性インク組成物として、本出願人は、１）少なくとも水と着色剤を含有し、特定の剪断速度の少なくとも一部の領域でダイラント流体特性を有することを特徴とする水性ボールペン用インク組成物（例えば、特許文献１参照）、２）重合度５０〜２０００のポリビニルアルコールと、ホウ酸及びその塩の少なくとも１種とを含有し、インク粘度を一定の範囲とした水性ボールペン用インク組成物（例えば、特許文献２参照）を提案している。
【０００３】
これらの筆記具用インク組成物は、従来にないインク配合組成であり、トメ、ハネ、ハライが明瞭であり、美しい文字がかけるものであり、ポリビニルアルコールと、ホウ酸等による凝集性を利用しているため、滲みやフェザリングが発生しにくい反面、長期間キャップオフの状態での書き出しが若干かすれ易いという課題がある。
【０００４】
一方、インクジェットプリンタや文具、さらには各種印刷用途に用いられる水性インク組成物として、ジグリセリルボレートなどの半極性ホウ素化合物を含有してなる水性インク組成物（例えば、特許文献３参照）が知られている。
しかしながら、この水性インク組成物は、単純な組成であっても表面張力、湿潤性、乾燥性のバランスの良い、インクジェット記録等における画像品質を向上することができる水性インク組成物を提供するものであり、本発明とは、使用目的、課題が相違するものであり、しかも、特定物性のポリビニルアルコールとの相乗作用等については全く記載や認識もないものである。
【先行技術文献】
【特許文献】
【０００５】
【特許文献１】特開２０１４−９５０７０号公報（特許請求の範囲、実施例等）
【特許文献２】特開２０１４−９５０７１号公報（特許請求の範囲、実施例等）
【特許文献３】特開平１０−３２４８３０号公報（特許請求の範囲、実施例等）
【発明の概要】
【発明が解決しようとする課題】
【０００６】
本発明は、上記従来技術の課題に鑑み、これを解消しようとするものであり、トメ、ハネ、ハライが明瞭であり、長期間キャップオフ後も書き出しが良好となる筆記具用水性インク組成物を提供することを目的とする。
【課題を解決するための手段】
【０００７】
本発明者らは、上記従来の課題等に鑑み、鋭意研究を行った結果、少なくともポリビニルアルコールとジグリセリルボレートとをそれぞれ特定の含有量とし、しかも、両者の質量比を特定の範囲とすることにより、上記目的の筆記具用水性インク組成物が得られることを見出し、本発明を完成するに至ったのである。
【０００８】
すなわち、本発明は、次の（１）及び（２）に存する。
（１）  Ａ．ポリビニルアルコールを０．１〜１０質量％、Ｂ．ジグリセリルボレートを０．１〜５質量％を少なくとも含み、質量比Ａ／Ｂが２／１〜１／５であることを特徴とする筆記具用水性インク組成物。
（２）  上記（１）に記載の筆記具用水性インク組成物を搭載したことを特徴とする筆記具。
【発明の効果】
【０００９】
本発明によれば、トメ、ハネ、ハライが明瞭であり、長期間キャップオフ後も書き出しが良好となる筆記具用水性インク組成物が提供される。
【発明を実施するための形態】
【００１０】
以下に、本発明の実施形態を詳しく説明する。
本発明の筆記具用水性インク組成物は、Ａ．ポリビニルアルコールを０．１〜１０質量％、Ｂ．ジグリセリルボレートを０．１〜５質量％を少なくとも含み、質量比Ａ／Ｂが２／１〜１／５であることを特徴とするものである。
【００１１】
本発明に用いるＡ．ポリビニルアルコール（以下、単に「ＰＶＡ」と略記する）は、一般式、−〔ＣＨ２−ＣＨ（ＯＨ）〕ｍ−〔ＣＨ２−ＣＨ（ＯＣＯＣＨ３〕ｎ−で表されるものであり、インクの経時安定性、粘度付与性の点から、そのケン化度｛〔ｍ／（ｍ＋ｎ）〕×１００｝は、好ましくは、５０ｍｏｌ％以上とすることが望ましく、更に好ましくは、７５ｍｏｌ％以上であることが望ましい。
また、上記ケン化度のＰＶＡにおいて、筆記感、着色性を損なうことなく、トメ、ハネ、ハライなど美しい文字感を高める点から、その重合度（ｍ＋ｎ）は、好ましくは、５０以上、更に好ましくは、１００〜３０００、特に好ましくは、２００〜２０００が望ましい。
具体的に用いることができるＰＶＡとしては、市販の日本合成化学工業社製のＡ型ゴーセノールシリーズ、Ｇ型ゴーセノールシリーズ、Ｋ型ゴーセノールシリーズ（日本合成化学工業社製の商品名）、日本酢ビ・ポバール社製のＪポバールシリーズ（日本酢ビ・ポバール社製の商品名）、クラレ社製のＫＵＲＡＲＡＹポバールＰＶＡシリーズ（クラレ社製の商品名）等が挙げられる。
これらのケン化度、重合度を有するＰＶＡは、１種単独で使用してもよく、２種以上を併用してもよい。
【００１２】
また、本発明のＰＶＡには、変性ＰＶＡ、好ましくは、上記重合度範囲、ケン化度となる変性ＰＶＡも使用することができる。用いることができる変性ＰＶＡとしては、ＰＶＡの水酸基、酢酸基をカルボキシル基、スルホン酸基、エチレンオキサイド基などの変性基に変性したもの、または、ＰＶＡの側鎖に上記の変性基を有するものが挙げられる。また、部分けん化ＰＶＡにアクリル酸とメタクリル酸メチルを共重合したＰＶＡ・アクリル酸・メタクリル酸メチル共重合体も本発明の変性ＰＶＡとして使用することができる。
具体的に用いることができる変性ＰＶＡとしては、市販の日本合成化学工業社製のゴーセネックスＬシリーズ、ゴーセネックスＷＯシリーズ（日本合成化学工業社製の商品名）、日本酢ビ・ポバール社製のアニオン変性ＰＶＡ（Ａシリーズ）（日本酢ビ・ポバール社製の商品名）、クラレ社製のエクセバール１７１３（クラレ社製の商品名）等が挙げられる。また、ＰＶＡ・アクリル酸・メタクリル酸メチル共重体としては、大同化成工業社製のＰＯＶＡＣＯＡＴ（大同化成工業社製の商品名）等が挙げられる。
これらの変性ＰＶＡは、１種単独で使用してもよく、２種以上を併用してもよい。
【００１３】
このようなＰＶＡ、変性ＰＶＡの合計含有量は、筆記具用水性インク組成物全量に対して、０．１〜１０質量％（以下、単に「％」と略記する。）、好ましくは、０．３〜７％、特に好ましくは、０．５〜５％であることが望ましい。
この含有量が０．１％未満では、粘度付与性能が充分でなく、描線の滲み耐性が低下するなどの、一方、１０％を越えると、粘度が高すぎてインクの追従性能が低下し、好ましくない。
【００１４】
本発明に用いるＢ．ジグリセリルボレートは、ＰＶＡとの相互作用により、トメ、ハネ、ハライを明瞭にする点、並びに、長期間キャップオフの状態での書き出しの課題を解消するために含有するものであり、分子内でプラス（＋）とマイナス（−）の極性を持つ半極性ホウ素化合物の一種で、グリセリン２分子とホウ酸１分子とから合成され下記式で示されるものである。
【化１】
2016117786.tif 000002
【００１５】
このジグリセリルボレートの含有量は、筆記具用水性インク組成物全量に対して、０．１〜５％、好ましくは、０．５〜３％とすることが望ましい。
このジグリセリルボレートの含有量が０．１％未満であると、本発明の効果が得られず、一方、５％を超えると、インクに対して完全に溶解しない場合があり好ましくない。
【００１６】
本発明において、上記Ａ．ポリビニルアルコールと、上記Ｂ．ジグリセリルボレートの含有比率は、質量比で２／１〜１／５の範囲とすることが必要である。
この含有比率Ａ／Ｂが２／１を超えると、本発明の効果が得られず、一方、１／５未満であると、ＰＶＡとジグリセリルボレートとの相互作用が弱くなることで描線が滲みやすくなり、好ましくない。
本発明では、上記Ａ．ポリビニルアルコールと、上記Ｂ．ジグリセリルボレートとが上記各含有量の範囲であっても、上記質量比２／１〜１／５の範囲とすることにより、初めて、本発明の効果を奏するものとなり、この質量比の範囲を外れると、本発明の効果が得られないものである。
【００１７】
本発明の筆記具用水性インク組成物では、上記Ａ．ポリビニルアルコールと、Ｂ．ジグリセリルボレートとを上記の各含有量、質量比の範囲で含有せしめ、着色剤、残部として溶媒である水（水道水、精製水、蒸留水、イオン交換水、純水等）の他、更に、筆記具用に通常用いられる各成分、例えば、水溶性有機溶剤、上記ＰＶＡ、ジグリセリルボレート以外の粘度調整剤、分散剤、潤滑剤、防錆剤、防腐剤もしくは防菌剤、ｐＨ調整剤などを本発明の効果を損なわない範囲で、適宜含有することができる。
【００１８】
本発明に用いることができる着色剤としては、水に溶解もしくは分散する染料、酸化チタン等の従来公知の無機系および有機顔料系、顔料を含有した樹脂粒子顔料、樹脂エマルションを染料で着色した疑似顔料、白色系プラスチック顔料、シリカや雲母を基材とし表層に酸化鉄や酸化チタンなどを多層コーティングした顔料等を本発明の効果を損なわない範囲で使用することができる。
染料としては、例えば、エオシン、フオキシン、ウォーターイエロー＃６−Ｃ、アシッドレッド、ウォーターブルー＃１０５、ブリリアントブルーＦＣＦ、ニグロシンＮＢ等の酸性染料；ダイレクトブラック１５４、ダイレクトスカイブルー５Ｂ、バイオレットＢ００Ｂ等の直接染料；ローダミン、メチルバイオレット等の塩基性染料などが挙げられる。
【００１９】
無機系顔料としては、例えば、アゾレーキ、不溶性アゾ顔料、キレートアゾ顔料、フタロシアニン顔料、ペリレンおよびペリノン顔料、ニトロソ顔料などが挙げられる。より具体的には、カーボンブラック、チタンブラック、亜鉛華、べんがら、アルミニウム、酸化クロム、鉄黒、コバルトブルー、酸化鉄黄、ビリジアン、硫化亜鉛、リトポン、カドミウムエロー、朱、カドミウムレッド、黄鉛、モリブデードオレンジ、ジンククロメート、ストロンチウムクロメート、ホワイトカーボン、クレー、タルク、群青、沈降性硫酸バリウム、バライト粉、炭酸カルシウム、鉛白、紺白、紺青、マンガンバイオレット、アルミニウム粉、真鍮粉等の無機顔料、Ｃ．Ｉ．ピグメントブルー１７、Ｃ．Ｉ．ピグメントブルー１５、Ｃ．Ｉ．ピグメントブルー１７、Ｃ．Ｉ．ピグメントブルー２７、Ｃ．Ｉ．ピグメントレッド５、Ｃ．Ｉ．ピグメントレッド２２、Ｃ．Ｉ．ピグメントレッド３８、Ｃ．Ｉ．ピグメントレッド４８、Ｃ．Ｉ．ピグメントレッド４９、Ｃ．Ｉ．ピグメントレッド５３、Ｃ．Ｉ．ピグメントレッド５７、Ｃ．Ｉ．ピグメントレッド８１、Ｃ．Ｉ．ピグメントレッド１０４、Ｃ．Ｉ．ピグメントレッド１４６、Ｃ．Ｉ．ピグメントレッド２４５、Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー３４、Ｃ．Ｉ．ピグメントイエロー５５、Ｃ．Ｉ．ピグメントイエロー７４、Ｃ．Ｉ．ピグメントイエロー９５、Ｃ．Ｉ．ピグメントイエロー１６６、Ｃ．Ｉ．ピグメントイエロー１６７、Ｃ．Ｉ．ピグメントオレンジ５、Ｃ．Ｉ．ピグメントオレンジ１３、Ｃ．Ｉ．ピグメントオレンジ１６、Ｃ．Ｉ．ピグメントバイオレット１、Ｃ．Ｉ．ピグメントバイオレット３、Ｃ．Ｉ．ピグメントバイオレット１９、Ｃ．Ｉ．ピグメントバイオレット２３、Ｃ．Ｉ．ピグメントバイオレット５０、Ｃ．Ｉ．ピグメントグリーン７等が挙げられる。
これらの色材は、単独で、又は２種以上を混合して用いることができる。
これらの色材の含有量は、筆記具用水性インク組成物全量に対して、０．１〜４０％に範囲で適宜調整することが可能である。
【００２０】
用いることができる水溶性有機溶剤としては、例えば、エチレングリコール、ジエチレングリコール、トリエチレングリコール、プロピレングリコール、ポリエチレングリコール、３−ブチレングリコール、チオジエチレングリコール、グリセリン等のグリコール類や、エチレングリコールモノメチルエーテル、ジエチレングリコールモノメチルエーテル等のグリコールエーテル類などが挙げられ、これらは単独で或いは２種以上を混合して使用することができる。
これらの水溶性有機溶剤の含有量は、筆記具用水性インク組成物全量に対して、好ましくは、３〜３０％とすることが望ましい。
【００２１】
用いることができる粘度調整剤としては、例えば、合成高分子、セルロースからなる群から選ばれた少なくとも一種が望ましい。具体的には、メチルセルロース、エチルセルロース、ヒドロキシエチルセルロース、カルボキシメチルセルロース、デンプングリコール酸及びその塩、アルギン酸プロピレングリコールエステル、ポリビニルピロリドン、ポリビニルメチルエーテル、ポリアクリル酸及びその塩、カルボキシビニルポリマー、ポリエチレシオキサイド、酢酸ビニルとポリビニルピロリドンの共重合体、架橋型アクリル酸重合体及びその塩、非架橋型アクリル酸重合体及びその塩、スチレン−アクリル酸共重合体及びその塩などが挙げられる。
【００２２】
分散剤としては、スチレン−マレイン酸共重合体及びその塩、スチレン−アクリル酸共重合体及びその塩、α−メチルスチレン−アクリル酸共重合体及びその塩、ポリアクリル酸ポリメタクリル酸共重合物などの少なくとも１種が挙げられる。
潤滑剤としては、顔料の表面処理剤にも用いられる多価アルコールの脂肪酸エステル、糖の高級脂肪酸エステル、ポリオキシアルキレン高級脂肪酸エステル、アルキル燐酸エステルなどのノニオン系や、リン酸エステル、高級脂肪酸アミドのアルキルスルホン酸塩、アルキルアリルスルホン酸塩などのアニオン系、ポリアルキレングリコールの誘導体やフッ素系界面活性剤、ポリエーテル変性シリコーンなどが挙げられる。
また、防錆剤としては、ベンゾトリアゾール、トリルトリアゾール、ジシクロへキシルアンモニウムナイトライト、サポニン類など、防腐剤もしくは防菌剤としては、フェノール、ナトリウムオマジン、安息香酸ナトリウム、ベンズイミダゾール系化合物などが挙げられる。
ｐＨ調整剤としては、水酸化ナトリウム、水酸化カリウム、水酸化リチウム等のアルカリ金属の水酸化物、トリエタノールアミン、ジエタノールアミン、モノエタノールアミン、ジメチルエタノールアミン、モルホリン、トリエチルアミン等のアミン化合物、アンモニア等が挙げられる。
【００２３】
この筆記具用水性インク組成物を製造するには、従来から知られている方法が採用可能であり、例えば、Ａ．ポリビニルアルコールを０．１〜１０％、Ｂ．ジグリセリルボレートを０．１〜５％を少なくとも含み、上記質量比Ａ／Ｂが２／１〜１／５となるように、水性における各成分などを所定量配合し、ホモミキサー、もしくはディスパー等の攪拌機により攪拌混合することによって得られる。更に必要に応じて、ろ過や遠心分離によってインク組成物中の粗大粒子を除去してもよく、また、脱泡、加熱、冷却しながら作製してもよいものである。
【００２４】
本発明の筆記具用水性インク組成物は、マーキングペン、サインペン、ボールペンなど各種筆記具に搭載でき、ボールペンでは、金属チップ、樹脂チップなどのペン先部を備えたボールペンに搭載して使用に供することができる。
用いることができるボールペンは、上記組成となる筆記具用水性インク組成物を搭載したものであり、好ましくは、金属ボール等を回転自在に抱持したボールペンチップを直接又は中継部材を介して挿着したパイプ又はパイプ形状の成形物等からなるインク収容管内に上記特性のインク組成物を充填し、かつ、該インク組成物後端面にインク追従体を配設してなる構成となるものが望ましい。インク追従体としては、インク収容管内に収容された筆記具用水性インク組成物とは相溶性がなく、かつ、該水性ボールペン用インク組成物に対して比重が小さい物質、例えば、ポリブテン、シリコーンオイル、鉱油等が挙げられる。
なお、ボールペンの構造は、特に限定されず、例えば、軸筒自体をインク収容体として該軸筒内に上記構成の筆記具用水性インク組成物を充填したコレクター構造（インキ保持機構）を備えた直液式のボールペンであってもよいものである。
【００２５】
このように構成される本発明の筆記具用水性インク組成物が、何故、トメ、ハネ、ハライが明瞭で、長期間キャップオフ後も書き出しが良好となる機能を発現するのかは下記のように推測することができる。
すなわち、本発明の筆記具用水性インク組成物では、Ａ．ポリビニルアルコールを０．１〜１０質量％、Ｂ．ジグリセリルボレートを０．１〜５質量％を少なくとも含み、質量比Ａ／Ｂが２／１〜１／５とすることにより、トメ、ハネ、ハライ部分での筆記速度や筆記圧が変動する範囲において、好適なインク流動特性を発現すると共に、グリセリンに類似する骨格を有するジグリセリルボレートの作用により保湿効果が発揮されるため、長期間キャップオフ後も書き出しが良好となるものと推測される。
本発明の筆記具用水性インク組成物は、本発明の効果を発揮せしめる持続効果が極めて優れており、しかも、その効果の発現期間・持続時間も長く、更に水溶性であるために経時的な安定性にも優れたものとなる。
【実施例】
【００２６】
次に、実施例及び比較例により本発明を更に詳細に説明するが、本発明は下記実施例等に限定されるものではない。
【００２７】
〔実施例１〜６及び比較例１〜５〕
下記表１に示す配合処方にしたがって、常法により各筆記具用水性インク組成物を調製した。
得られた各筆記具用水性インク組成物（全量１００質量％）について、下記方法により筆記具として水性ボールペンを作製し、下記各評価方法により、トメ、ハネ、ハライ、初筆性能及び描線の滲みとカスレ、キャップオフ後書き出しについて評価した。
下記表１に実施例１〜６及び比較例１〜５の配合処方とその各評価結果を示す。
【００２８】
（筆記具：水性ボールペンの作製）
ボールペン〔三菱鉛筆株式会社製、商品名：シグノＵＭ−１００〕の軸を使用し、内径４．０ｍｍ、長さ１１３ｍｍのポリプロピレン製インク収容管とステンレス製チップ（超硬合金ボール、ボール径０．７ｍｍ）及び該収容管と該チップを連結する継手からなるリフィールに上記各インクを充填し、インク後端にポリブテンからなるインク追従体を装填し、水性ボールペンを作製した。
【００２９】
（トメの評価方法）
上記で作製した各水性ボールペンを用いて筆記試験用紙にフリーハンドで「永」の字を筆記し、１画目の点の滲み、ボテの状態を目視で、下記評価基準で評価した。
評価基準：
○：滲み、ボテがほとんどなし。
△：滲み、またはボテが若干ある。
×：滲みやボテがひどく、描線が醜い。
【００３０】
（ハネの評価方法）
上記で作製した各水性ボールペンを用いて筆記試験用紙にフリーハンドで「永」の字を筆記し、２画目の終筆部のハネの状態を目視で、下記評価基準で評価した。
評価基準：
○：終筆部の描線が非常に細く、カスレもなく、きれいな描線が表現できている。
△：描線が多少カスレており、描線濃度がうすい。
×：描線が酷くカスレており、描線が醜い。
【００３１】
（ハライの評価方法）
上記で作製した各水性ボールペンを用いて筆記試験用紙にフリーハンドで「永」の字を筆記し、５画目の品位を目視で、下記評価基準で評価した。
評価基準：
○：描線の割れが全くなく、きれいな描線が表現できている。
△：描線の割れが多少あり、描線濃度がうすい。
×：描線の割れがあり、描線が醜い。
【００３２】
（初筆性能の評価方法）
上記で作製した各水性ボールペンを用いて筆記試験用紙にフリーハンドで「永」の字を筆記し、１画目の点のインク出性能の状態を目視で、下記評価基準で評価した。
評価基準：
○：カスレがほとんどなく、きれいに点がうてる。
△：カスレが若干あり、描線がうすい。
×：カスレがひどく、点がほとんど判読できない。
【００３３】
（描線の滲みとカスレの評価方法）
上記で作製した各水性ボールペンを用いて筆記試験用紙にフリーハンドで「永」の字を筆記し、２画目の終筆部のハネの状態を目視で、下記評価基準で評価した。
評価基準：
○：終筆部の描線が非常に細く、カスレも滲みもなく、きれいな描線が表現できている。
△：描線が多少カスレており、描線濃度がうすい。もしくは、若干の滲みが認められる。
×：描線が酷くカスレている若しくは滲みが大きく、描線が醜い。
【００３４】
（キャップオフ後書き出しの評価方法）
上記で作成した各水性ボールペンを、キャップオフの状態で２５℃６０％ＲＨの環境条件で２４時間放置し、キャップオフ後書き出しの状態を目視で、下記評価基準で評価した。
評価基準：
○：描線のカスレが発生しない。
△：書き出しから５ｍｍ以内の範囲で描線のカスレが発生している。
×：書き出しから５ｍｍ以上にわたり描線のカスレが発生している。
【００３５】
【表１】
2016117786.tif 000003
【００３６】
上記表１中の＊１〜＊９は下記のとおりである。
＊１：カーボンブラックＭＡ−１００（三菱化学社製）
＊２：ＪＯＮＣＲＹＬ  ６１Ｊ（ＢＡＳＦ  ＪＡＰＡＮ社製）
＊３：Ｊポバール  ＪＦ−０５（日本酢ビ・ポバール社製）、ケン化度９８〜９９ｍｏｌ％、重合度５００
＊４：Ａ型ゴーセノールＡＬ−０６Ｒ（日本合成化学工業社製）、ケン化度９１〜９４ｍｏｌ％、重合度６００
＊５：Ｋ型ゴーセノールＫＨ−１７（日本合成化学工業社製）、ケン化度７８．５〜８１．５ｍｏｌ％、重合度１７００
＊６：Ｌ型ゴーセネックスＬ−３２６６（日本合成化学工業社製）、ケン化度８６．５〜８９．０ｍｏｌ％、重合度３００
＊７：プライマルＴＴ−９３５（ローム・アンド・ハース・ジャパン社製）
＊８：リン酸エステル  ＲＳ−６１０（東邦化学工業社製）
＊９：ベストサイド６００（日本曹達社製）
【００３７】
上記表１を考察すると、本発明範囲となる実施例１〜６は、トメ、ハネ、ハライが明瞭であり、初筆性能及び描線の滲みやカスレもなく、しかも、長期間キャップオフ後も書き出しが良好となる筆記具用水性インク組成物となることが判った。
これに対して、本発明の範囲外となる比較例１〜５では、本発明の効果を発揮できないことが判る。特に、比較例１では、特開２０１４−９５９０７１号公報に記載の実施例に準拠するものであり、この場合は、キャップオフ後書き出しの状態は良好でなく、また、比較例５は、Ａ．ポリビニルアルコールとＢ．ジグリセリルボレートとの質量比が本発明の範囲外となる場合であり、これらの場合も、本発明の効果を発揮できないものであった。
【産業上の利用可能性】
【００３８】
水性のボールペンなどに好適な筆記具用水性インク組成物が得られる。